(57)【要約】【課題】良好な受信感度を安定して得ることが可能な時計型無線通信装置を提供する。【解決手段】無線通信のためのアンテナとして用いる秒針（２）と、秒針（２）を介した無線通信の受信感度を検出する受信感度検出部（６）と、秒針（２）を移動させながら受信感度検出部（６）に受信感度を検出させ、その検出結果に応じて決定した受信位置に秒針（２）を移動させるアンテナ位置制御部（７）とを備えた時計型無線通信装置（１）。【選択図】図１
2015038447.tif 000002
【特許請求の範囲】
【請求項１】
無線通信のためのアンテナとして用いるアンテナ用指針と、
該アンテナ用指針を介した無線通信の受信感度を検出する検出手段と、
該アンテナ用指針を移動させながら該検出手段に受信感度を検出させ、その検出結果に応じて決定した受信位置に該アンテナ用指針を移動させる指針位置制御手段と、を備えていることを特徴とする時計型無線通信装置。
【請求項２】
少なくとも二本のアンテナ用指針を備え、
上記指針位置制御手段は、一本のアンテナ用指針を移動させながら上記検出手段に受信感度を検出させ、その検出結果に応じて決定した受信位置に該一本のアンテナ用指針を移動させると共に、他のアンテナ用指針を、該一本のアンテナ用指針に対して所定の位置関係になるように移動させることを特徴とする請求項１に記載の時計型無線通信装置。
【請求項３】
上記アンテナ用指針は、第一の周波数における無線通信のためのアンテナ用指針と、第一の周波数とは異なる第二の周波数における無線通信のためのアンテナ用指針とを含んでおり、
上記指針位置制御手段は、第一の周波数における無線通信のためのアンテナ用指針を移動させながら上記検出手段に受信感度を検出させ、その検出結果に応じて決定した受信位置に第一の周波数における無線通信のためのアンテナ用指針を移動させるとともに、第二の周波数における無線通信のためのアンテナ用指針を移動させながら上記検出手段に受信感度を検出させ、その検出結果に応じて決定した受信位置に第二の周波数における無線通信のためのアンテナ用指針を移動させることを特徴とする請求項１に記載の時計型無線通信装置。
【請求項４】
上記アンテナ用指針が、時刻を示すものではないことを特徴とする請求項１〜３の何れか一項に記載の時計型無線通信装置。
【請求項５】
上記アンテナ用指針は、時刻を示す指針を含んでおり、
ユーザによる時刻の確認動作を検知する検知手段を備え、
上記指針位置制御手段は、該検知手段が該確認動作を検知したとき、上記アンテナ用指針に含まれる時刻を示す指針の位置を、現在時刻を示す位置に移動させることを特徴とする請求項１〜４の何れか一項に記載の時計型無線通信装置。
【発明の詳細な説明】
【技術分野】
【０００１】
本発明は指針をアンテナとして用いる時計型無線通信装置およびその制御方法に関する。
【背景技術】
【０００２】
アナログ時計の針をアンテナとして利用し、電波を受信する技術が開発されている。
【０００３】
例えば、特許文献１には、時計ケース内に収容されている指針と指針軸とからなる指針部材をアンテナとして利用する電波時計が記載されている。また、特許文献２には、アンテナとして機能している分針および時針を所定の角度に傾けて設置するアンテナ内蔵時計が記載されている。
【先行技術文献】
【特許文献】
【０００４】
【特許文献１】特開昭６２−２２１２０１号（１９８７年９月２９日公開）
【特許文献２】特開２００５−３１５５８９号（２００５年１１月１０日公開）
【発明の概要】
【発明が解決しようとする課題】
【０００５】
しかし、特許文献１および２に記載の技術では、時間の経過に伴って指針が移動するため、指針の移動に起因してアンテナの受信感度が劣化するおそれがある。
【０００６】
本発明は、上記課題に鑑みてなされたものであり、その主たる目的は、指針をアンテナとして用いる時計型無線通信装置において、良好な通信特性を得るための技術を提供することにある。
【課題を解決するための手段】
【０００７】
上記の課題を解決するために、本発明の一態様に係る時計型無線通信装置は、無線通信のためのアンテナとして用いるアンテナ用指針と、該アンテナ用指針を介した無線通信の受信感度を検出する検出手段と、該アンテナ用指針を移動させながら該検出手段に受信感度を検出させ、その検出結果に応じて決定した受信位置に該アンテナ用指針を移動させる指針位置制御手段と、を備えていることを特徴としている。
【発明の効果】
【０００８】
本発明の一態様によれば、無線通信が行われるときに、アンテナとして用いるアンテナ用指針を好適な受信位置に移動させるため、良好な受信感度を安定して得ることができるという効果を奏する。
【図面の簡単な説明】
【０００９】
【図１】本発明の実施形態１に係る時計型無線通信装置の構成を示すブロック図である。
【図２】本発明の実施形態１に係る時計型無線通信装置が、アンテナ用指針を受信位置に移動させる処理の流れを示すフローチャートである。
【図３】（ａ）、（ｂ）は、本発明の実施形態１に係る時計型無線通信装置の動作を示す図であり、（ｃ）〜（ｅ）は、本発明の実施形態２に係る時計型無線通信装置の動作を示す図である。
【図４】（ａ）〜（ｃ）は、本発明の実施形態３に係る時計型無線通信装置の動作を示す図であり、（ｄ）〜（ｆ）は、本発明の実施形態４に係る時計型無線通信装置の動作を示す図である。
【図５】（ａ）〜（ｆ）は、本発明の実施形態５に係る時計型無線通信装置の動作を示す図である。
【図６】（ａ）、（ｂ）は、本発明の実施形態６に係る時計型無線通信装置の動作を示す図である。
【図７】本発明の実施形態７に係る時計型無線通信装置の構成を示すブロック図である。
【図８】（ａ）〜（ｃ）は、本発明の実施形態７に係る時計型無線通信装置の動作を示す図である。
【発明を実施するための形態】
【００１０】
本発明は、時計型無線通信装置およびその制御方法を提供する。本明細書において、時計型無線通信装置とは、時計の指針を備え、時計の指針をアンテナとして用いて、無線通信を行う装置を指す。本発明に係る時計型無線通信装置が行う無線通信は特に限定されず、例えば、各種の放送の受信、移動体無線通信、近距離無線通信等であり得、例として、ＧＰＳ、ＷＬＡＮ、ＧＳＭ（登録商標）、ＷＣＤＭＡ（登録商標）、ＬＴＥ、ＣＤＭＡ、及びＣＤＭＡ２０００等のセルラー通信方式、ＷｉＭＡＸ（登録商標）等のＢＷＡ（広帯域移動体無線アクセスシステム）、並びに、Ｂｌｕｅｔｏｏｔｈ（登録商標）及びＺｉｇＢｅｅ（登録商標；ＩＥＥＥ８０２．１５．４）等の近距離無線通信等を挙げることができる。
【００１１】
従来技術に係る時計型無線通信装置では、時刻に応じて時計の指針の位置が変化するに伴い、アンテナの受信感度が劣化するおそれがある。これに対し、本発明に係る時計型無線通信装置では、無線通信が行われるときに、アンテナとして用いるアンテナ用指針を好適な受信位置に移動させるため、良好な受信感度を安定して得ることができる。
【００１２】
以下、図面を参照して、本発明のいくつかの実施形態について詳細に説明する。なお、説明の便宜上、他の実施形態にて説明した部材と同じ機能を有する部材については、同じ符号を付記し、その説明を省略することもある。
【００１３】
〔実施形態１〕
図１は、本発明の実施形態１に係る時計型無線通信装置１の構成を示すブロック図である。図１に示すように、時計型無線通信装置１は、秒針（アンテナ用指針）２、分針（非アンテナ用指針）３、時針（非アンテナ用指針）４、無線回路部５、受信感度検出部（検出手段）６、指針位置制御部（指針位置制御手段）７、記憶部８、および指針駆動部９を備えている。
【００１４】
秒針２、分針３、および時針４は、時計の指針であり、指針軸を中心に回転するように指針駆動部９によって駆動される。本発明に係る時計型無線通信装置では、これらの指針を無線通信のためのアンテナ用指針として用いる。本実施形態では、秒針２のみをアンテナ用指針として用いる例について説明するが、アンテナ用指針となる指針は限定されず、一本以上の指針をアンテナ用指針として用いることができる。アンテナ用指針として用いる指針は、導電性材料からなることが好ましい。また、アンテナとして用いない指針（非アンテナ用指針）の材料は限定されないが、アンテナ用指針の受信感度に影響を与えないよう、非導電性材料であることが好ましい。
【００１５】
無線回路部５は、アンテナ用指針を介して無線通信を行うものであり、公知の無線回路部５を用いることができる。受信感度検出部６は、アンテナ用指針を介した無線通信における無線信号の受信感度（例えばＲＳＳＩ）を検出するものであり、公知の受信感度検出技術を用いることができる。
【００１６】
指針位置制御部７は、秒針２、分針３、および時針４の位置を決定し、決定した位置に、指針駆動部９を介して各指針を移動させる。無線通信を行わないときは、時計型無線通信装置１は時計として機能すればよいため、指針位置制御部７は、時刻に応じた位置を指針の位置として決定する。一方、無線通信を行うときは、指針位置制御部７は、後述する処理に従って、無線通信を好適に受信するためのアンテナ用指針の受信位置を決定する。
【００１７】
記憶部８は、指針位置制御部７を動作させるためのプログラムが格納されている。また、指針位置制御部７から取得する指針の位置およびそれに対応する受信感度の検出結果を記憶する。指針駆動部９は、指針位置制御部７が決定した位置に、秒針２、分針３、および時針４を駆動して移動させる。
【００１８】
なお、時計型無線通信装置１の時計の種類（例えば、腕時計、置時計など）については限定されず、指針を有している時計であればよい。また、指針の数も、上述した３本を有する時計に限定されず、分針と時針の時計、クロノグラフ等の多針の時計も含まれる。
【００１９】
図２は、本発明の実施形態１に係る時計型無線通信装置１が、アンテナ用指針の受信位置を決定する処理の流れを示すフローチャートである。図３の（ａ）は本発明の実施形態１に係る時計型無線通信装置１が時計動作をしている様子を示す図であり、（ｂ）は、アンテナ用指針である秒針２が、受信感度が最大となる位置に移動した様子を示す図である。上述したように、時計型無線通信装置１は、電波の受信感度が良い受信位置にアンテナ用指針を移動させる。この処理について、図２および図３を用いて説明する。
【００２０】
なお、図３〜６、８では、時計型無線通信装置１から無線通信相手である波源２０（および波源２１）に向かう波源方向を、便宜的に、受信感度が最大となる方向として稲妻によって示す。ただし、これはあくまでも説明のためのモデル化であって、実際には、時計型無線通信装置１と波源２０との間の壁や障害物等の影響で、波源方向と、受信感度が最大となる方向とが一致しないこともあり得る。また、図３〜６、８では、秒針２をアンテナとして用いたときの指向性３０、分針３をアンテナとして用いたときの指向性３１、および機能針１０をアンテナとして用いたときの指向性３２をそれぞれ点線によって示している。
【００２１】
図３の（ａ）に示すように、時計型無線通信装置１が時計動作している状態から、無線通信が開始すると、指針位置制御部７は、指針駆動部９を介して、アンテナ用指針を連続的または離散的に移動させる。離散的に移動させる場合は、特定の角度（例えば４５度）間隔で移動させてもよいし、特定の位置（例えば３時／６時／９時／１２時といった文字板上の位置）に順に移動させてもよい（ステップＳ１）。なお、これらの角度間隔や、位置などは、アンテナ用指針となる指針の種類によって異なっていてもよい。
【００２２】
次に、受信感度検出部６は、アンテナ用指針を介した無線通信の受信感度を測定し（ステップＳ２）、測定した受信感度を指針位置制御部７に出力する。指針位置制御部７は、取得した受信感度と、ステップＳ１において移動させたアンテナ用指針の位置を示す情報とを記憶部８に記憶させる（ステップＳ３）。
【００２３】
続いて、指針位置制御部７は、受信感度の検出が全て完了したかを判定する（ステップＳ４）。すなわち、所望の全範囲（例えば、３６０度）について受信感度の検出が完了しているか、上述した特定の位置全てについて受信感度の検出が完了しているかを判定する。ステップＳ４において、「受信感度の検出が全て完了していない」と判定した場合（ステップＳ４：ＮＯ）、ステップＳ１に戻り、アンテナ用指針をさらに移動させ、受信感度の検出を続ける。
【００２４】
一方、ステップＳ４において、「受信感度の検出が全て完了した」と判定した場合（ステップＳ４：ＹＥＳ）、指針位置制御部７は、記憶部８に記憶されている検出結果を比較し、受信感度が最大のときのアンテナ用指針の位置を受信位置として決定する。そして、図３の（ｂ）に示すように、指針駆動部９を介して、アンテナ用指針（秒針２）を決定した受信位置に移動させる（ステップＳ５）。
【００２５】
続いて、無線回路部５が、受信位置にあるアンテナ用指針を用いて無線通信を行う。無線回路部５は、無線通信が終わると、無線通信が終わったことを示す信号を指針位置制御部７に出力する。指針位置制御部７は、無線通信が終わったことを示す信号を取得すると、アンテナ用指針の位置として時刻に応じた位置を決定し、指針駆動部９を介して、アンテナ用指針の位置を、時刻に応じた位置に戻し、通常の時計動作を再開させる（ステップＳ６）。
【００２６】
このように、時計型無線通信装置１は、アンテナ用指針を順次移動し、各位置における受信感度を測定する。そして、時計型無線通信装置１は、測定した受信感度が良好になる位置（例えば、受信感度が最大になる位置）にアンテナ用指針を移動させ、電波を受信する。したがって、時刻に関わらず、受信感度が最大の位置にアンテナ用指針が移動するので、時計型無線通信装置１は良好な受信感度を安定して得ることができる。
【００２７】
なお、アンテナ用指針は秒針２、分針３、および時針４のいずれにも限定されないとしたが、分針３または時針４をアンテナとした場合、分針３または時針４が受信感度の良い位置に移動すると、時計型無線通信装置１が示す時刻が現在時刻と大幅に異なることがあるため、アンテナ用指針は秒針２が好ましい。また、無線通信（受信）の開始タイミングは、特に限定されず、例えば、予め定められた時刻としてもよく、またユーザが予め定めたタイミングとしてもよい。また、処理が始まるタイミングは、ユーザが電波を受信する機能を使用する際に処理を始めるといった、任意のタイミングとしてもよい。また、これらの無線通信の開始タイミングにおいて、一定の受信感度が得られていた場合には、アンテナ用指針を移動させながら受信感度を検出することをせずに、アンテナ用指針を時計の指針として動作させたまま、無線通信を開始してもよい。また、時計型無線通信装置１の設定項目として、これらの無線通信の開始タイミングにおいても、受信動作（無線通信）を開始せずに、通常の時計動作を継続するような設定が存在していてもよい。また、アンテナ用指針が電波を受信する受信位置は、受信感度が最大の位置に限られず、例えば、予め定められた閾値以上の受信感度が得られている位置としてもよいし、無線通信の開始タイミングにおける受信感度よりも良好な受信感度が得られる任意の位置としてもよい。
【００２８】
〔実施形態２〕
実施形態１では、アンテナ用指針が秒針２の場合について説明したが、アンテナ用指針は一本に限られない。そこで、実施形態２として、アンテナ用指針が二本の場合について、図３の（ｃ）〜（ｅ）を用いて説明する。図３の（ｃ）は、本発明の実施形態２に係る時計型無線通信装置１が時計動作をしている様子を示す図であり、（ｄ）は、アンテナ用指針である秒針２が、受信感度が最大となる位置に移動した様子を示す図であり、（ｅ）は、アンテナ用指針である分針３が、受信感度が最大となる位置に移動した様子を示す図である。
【００２９】
図３の（ｃ）において、アンテナ用指針は、秒針２および分針３であり、秒針２（第一の周波数における無線通信のためのアンテナ用指針）は波源２０から送信される第一の周波数の電波を受信し、分針３（第二の周波数における無線通信のためのアンテナ用指針）は波源２１から送信される第一の周波数とは異なる第二の周波数の電波を受信する。まず、時計型無線通信装置１は、図３（ｄ）に示すように、波源２０から送信された電波の受信感度が最大の位置に、秒針２を移動させる。続いて、時計型無線通信装置１は、図３（ｅ）に示すように、波源２１から送信された電波の受信感度が最大の位置に、分針３を移動させる。
【００３０】
このように、時計型無線通信装置１の二本の指針がアンテナとして用いられた場合においても、各々のアンテナが、受信感度が最大の位置に移動するので、各々のアンテナが良好な受信感度を安定して得ることができる。なお、時計型無線通信装置１において、秒針２、分針３、および時針４の３本の指針がアンテナとして用いられる場合においても、上述した動作と同様の動作によって、各々のアンテナが良好な受信感度を安定して得ることができる。
【００３１】
また、上述した説明においては、時計型無線通信装置１は秒針２を受信感度が最大の位置に移動させた後に、分針３を受信感度が最大の位置に移動させたが、これに限定されず、例えば秒針２および分針３を受信感度が最大になる位置に同時に移動してもよい。また、受信感度の測定も、秒針２の後に分針３の測定をしてもよいし、同時に測定してもよい。
【００３２】
〔実施形態３〕
実施形態２では、二本のアンテナ用指針が互いに異なる周波数の無線信号を受信したが、二本のアンテナ用指針をダイポールアンテナとして用いてもよい。実施形態３として、二本の指針をダイポールアンテナとして用いる場合について、図４（ａ）〜（ｃ）を用いて説明する。
【００３３】
図４の（ａ）は、本発明の実施形態３に係る時計型無線通信装置１が時計動作をしている様子を示す図であり、（ｂ）は、アンテナ用指針である秒針（一方のダイポールアンテナ用指針）２が、受信感度が最大となる位置に移動した様子を示す図であり、（ｃ）は、分針（他方のダイポールアンテナ用指針）３が秒針２とダイポールアンテナを形成する位置に移動した様子を示す図である。
【００３４】
図４の（ａ）において、アンテナ用指針は秒針２および分針３であり、これら二本の指針は、一方のアンテナ用指針の位置が決まると、他方のアンテナ用指針が該一方のアンテナ用指針の位置に対して１８０度となる位置に移動（所定の位置関係になるように移動）することにより、ダイポールアンテナを形成する。まず、時計型無線通信装置１は、図４の（ｂ）に示すように、波源２０から送信された電波の受信感度が最大になる位置に、秒針２を移動させる。続いて、時計型無線通信装置１は、ダイポールアンテナを形成するために、分針３の受信感度が最大となる位置をサーチせず、図４の（ｃ）に示すように、分針３を秒針２に対して１８０度となる位置（反対方向を向く位置）に移動させる。
【００３５】
このように、二本の指針を使ってダイポールアンテナを形成し、受信感度が最大の位置に指針を移動させることにより、一本の指針によるアンテナよりも受信感度が向上する。なお、分針３は、秒針２に対して１８０度となる位置に移動するとしたが、これに限定されず、アンテナ用指針は重ならない位置であればよいので、例えば１８０度に対して一定の範囲内に移動すればよいとしてもよく、一例として、１８０度±３０度、より好ましくは１８０度±２０度、さらに好ましくは１８０度±１０度としてもよい。
【００３６】
〔実施形態４〕
また、二本の指針を使って、例えば、垂直偏波および水平偏波等の二重偏波を受信できるアンテナを形成してもよい。実施形態４として、二本の指針を二重偏波アンテナとして用いる場合について、図４の（ｄ）〜（ｆ）を用いて説明する。
【００３７】
図４（ｄ）は、時計型無線通信装置１が時計動作をしている様子を示す図であり、（ｅ）は、アンテナ用指針である秒針（一方の二重偏波アンテナ用指針）２が、受信感度が最大となる位置に移動した様子を示す図であり、（ｆ）は、垂直偏波および水平偏波の両偏波を受信できる位置に分針（他方の二重偏波アンテナ用指針）３が移動した様子を示す図である。
【００３８】
図４の（ｄ）において、アンテナ用指針は秒針２および分針３であり、これら二本の指針は、一方のアンテナ用指針の位置が決まると、他方のアンテナ用指針が該一方のアンテナ用指針の位置に対して９０度となる位置に移動（所定の位置関係になるように移動）することにより、垂直偏波および水平偏波の両偏波を受信できる二重偏波アンテナを形成する。まず、時計型無線通信装置１は、図４の（ｅ）に示すように、波源２０から送信された電波の受信感度が最大になる位置に、秒針２を移動させる。続いて、時計型無線通信装置１は、垂直偏波および水平偏波の両偏波を受信できるように、分針３の受信感度が最大となる位置をサーチせず、図４（ｆ）に示すように、分針３を秒針２に対して９０度となる位置（直交する位置）に移動させる。こうすることにより、秒針２の指向性３０および分針３の指向性３１が示すように、時計型無線通信装置１は、垂直偏波および水平偏波の両偏波を受信できる。
【００３９】
このように、二本の指針を使って垂直偏波および水平偏波の両偏波を受信できるアンテナを形成し、受信感度が最大の位置に指針を移動させることにより、時計型無線通信装置１は、垂直偏波および水平偏波の両偏波を良好な受信感度で安定して得ることができる。なお、上記では、垂直偏波および水平偏波の両偏波を受信するアンテナを構成する場合について説明したが、互いに異なる偏波を受信する二重偏波アンテナを構成するものであれば特に限定されない。また、分針３は、秒針２に対して９０度となる位置に移動するとしたが、アンテナ用指針は互いに非平行な位置にあればよいので、例えば９０度に対して一定の範囲内に移動すればよいとしてもよく、一例として、９０度±３０度、より好ましくは９０度±２０度、さらに好ましくは９０度±１０度としてもよい。
【００４０】
〔実施形態５〕
実施形態１では、アンテナ用指針のみを移動させたが、電波を受信する時に、無線通信のためのアンテナとして用いない非アンテナ用指針も移動させてよい。非アンテナ用指針の動作について、図５を用いて説明する。
【００４１】
図５の（ａ）は、本発明の実施形態５に係る時計型無線通信装置１が時計動作をしている様子を示す図であり、（ｂ）は、アンテナ用指針である秒針２が、受信感度が最大となる位置に移動した様子を示す図であり、（ｃ）は、分針（非アンテナ用指針）３が秒針２に対して９０度の範囲の外に移動した様子を示す図である。
【００４２】
図５の（ａ）において、アンテナ用指針は秒針２である。時計型無線通信装置１は、図５の（ｂ）に示すように、波源２０から送信された電波の受信感度が最大になる位置に、秒針２を移動させる。このときに、秒針２以外の指針、図５の（ｂ）においては分針３が秒針２の近くにあるので、秒針２の受信感度に影響を与える可能性がある。そこで、図５の（ｃ）に示すように、秒針２の近くにある分針３を、秒針２から離れた位置になるよう、例えば９０度以上離れた位置に移動させる。なお、分針３が秒針２の近くにあるか否かの判定は、例えば、分針３の向きと秒針２の向きとの間の角度が、９０度以内であるか否かによって判定することができる。
【００４３】
このように、アンテナ用指針の近くに非アンテナ用指針がある場合、非アンテナ用指針をアンテナ用指針の受信位置に対して設定される範囲外の位置に移動させる。これにより、アンテナ用指針の受信感度が向上する。なお、秒針２は図５（ｂ）において受信感度が最大であったが、分針３によって受信感度に影響を与えられた可能性もあるので、図５（ｃ）に示す位置に分針３を移動させた後、秒針２の受信感度が最大となる位置を再度サーチしてもよい。
【００４４】
また、時計型無線通信装置１は、全ての非アンテナ用指針を、アンテナ用指針に対して特定の位置に移動させてもよい。図５（ｄ）〜（ｆ）を用いて、非アンテナ用指針を、アンテナ用指針に対して特定の位置に移動させる動作について説明する。図５（ｄ）は、時計型無線通信装置１が時計動作をしている様子を示す図であり、（ｅ）は、アンテナ用指針である秒針２が、受信感度が最大となる位置に移動した様子を示す図であり、（ｆ）は、分針３および時針４が秒針２に対して９０度の位置に移動した様子を示す図である。
【００４５】
図５（ｄ）において、アンテナ用指針は秒針２である。時計型無線通信装置１は、図５（ｅ）に示すように、波源２０から送信された電波の受信感度が最大になる位置に、秒針２を移動させる。このときに、秒針２以外の指針である分針３および時針４を、図５（ｆ）に示すように、秒針２に対して離れた位置、例えば９０度の位置に移動させる。
【００４６】
このように、本実施形態に係る時計型無線通信装置１では、アンテナ用指針を受信位置に移動させるとともに、非アンテナ用指針をアンテナ用指針から離れた位置に移動させる。これにより、アンテナ用指針の受信感度を向上させることができる。
【００４７】
〔実施形態６〕
時計型無線通信装置１が、時刻を示さない指針（機能針１０）をアンテナとして用いる場合について、実施形態６として、図６を用いて説明する。図６の（ａ）は、本発明の実施形態６に係る時計型無線通信装置１が時計動作をしている様子を示す図であり、（ｂ）は、アンテナ用指針である機能針１０が、受信感度が最大となる位置に移動した様子を示す図である。
【００４８】
図６の（ａ）に示すように、時計型無線通信装置１は多針時計であり、時刻を示す指針以外の機能針１０を備えている。機能針１０の機能は限定されず、例えば、任意のタイミングからの経過時間を示す指針（ストップウォッチ用の指針）、方位磁針、日付を示す指針、温度を示す指針、湿度を示す指針、および気圧を示す指針など、様々な用途に利用される指針であり得る。ここで、機能針１０は、アンテナとして用いられ、指針駆動部９により駆動される。そして、時計型無線通信装置１は、図６の（ｂ）に示すように、波源２０から送信された電波の受信感度が最大になる位置に機能針１０を移動する。
【００４９】
このように、時計型無線通信装置１は、時刻を示す指針以外の指針をアンテナとして用いてもよい。このように構成した場合、時計型無線通信装置１は電波を受信している間も時計機能を維持することができるため、ユーザが時刻を確認することができる。
【００５０】
〔実施形態７〕
図７は、本発明の実施形態７に係る時計型無線通信装置１の構成を示すブロック図である。また、図８の（ａ）は、本発明の実施形態７に係る時計型無線通信装置１が時計動作をしている様子を示す図であり、（ｂ）は、アンテナ用指針である秒針２が、受信感度が最大となる位置に移動した様子を示す図であり、（ｃ）は、ユーザの時刻確認動作を検出し、時計型無線通信装置１が時計動作に戻った様子を示す図である。時刻を示す指針をアンテナ用指針とした場合においても、電波を受信中に現在時刻を表示する動作について、図７、図８を用いて説明する。
【００５１】
図７に示すように、本実施形態に係る時計型無線通信装置１は、実施形態１に加えて、加速度センサ１１（検知手段）を備えている。加速度センサ１１は、時計型無線通信装置１の筐体が動いているか否かを検知することにより、ユーザが時計型無線通信装置１の時刻の確認動作をしたか否かを検知するセンサである。
【００５２】
図８の（ａ）において、アンテナ用指針は、秒針２である。時計型無線通信装置１は、図８の（ｂ）に示すように、波源２０から送信された電波の受信感度が最大になる位置に、秒針２を移動させる。このとき、ユーザが時刻確認をするために、時計型無線通信装置１を動かすと、加速度センサ１１は、時計型無線通信装置１が動いたことを示す情報を指針位置制御部７に出力する。指針位置制御部７は、時計型無線通信装置１が動いたことを示す情報を取得すると、秒針２の位置を現在時刻の位置に決定し、決定した位置を示す情報を指針駆動部９に出力する。指針駆動部９は、図８の（ｃ）に示すように、取得した情報が示す位置に秒針２を駆動する。そして、指針位置制御部７は、ユーザによる確認動作が終了したと判定した後に、波源２０から送信された電波の受信感度が最大になる位置に、秒針２を戻す。なお、指針位置制御部７は、例えば、ユーザによる確認動作の検知から一定時間が経過したことをもって、当該確認動作が終了したと判定してもよいし、加速度センサ１１の検知結果に応じて当該確認動作の終了を判定してもよい。また、ユーザによる当該確認動作の終了後、受信感度が最大になる位置を再度サーチしてもよい。
【００５３】
このように、アンテナ用指針を受信位置に移動させている状態において、ユーザの時計確認動作を検知したときに、アンテナ用指針を現在時刻を示す位置に移動させることにより、ユーザが所望のタイミングで時刻を確認することができる。なお、ユーザの時計確認動作を検出するセンサは加速度センサに限定されない。例えば視線センサを用いて、ユーザの視線を検出することにより、ユーザの時計確認動作を検出してもよい。
【００５４】
〔まとめ〕
本発明の態様１に係る時計型無線通信装置１は、無線通信のためのアンテナとして用いるアンテナ用指針（秒針２、分針３、機能針１０）と、該アンテナ用指針を介した無線通信の受信感度を検出する検出手段（受信感度検出部６）と、該アンテナ用指針を移動させながら該検出手段に受信感度を検出させ、その検出結果に応じて決定した受信位置に該アンテナ用指針を移動させる指針位置制御手段（指針位置制御部７）と、を備えている。上記の構成によれば、無線通信が行われるときに、アンテナとして用いるアンテナ用指針を好適な受信位置に移動させるため、良好な受信感度を安定して得ることができる。
【００５５】
本発明の態様２に係る時計型無線通信装置は、上記態様１において、上記指針位置制御手段は、無線通信が終了するまで上記アンテナ用指針を上記受信位置に保持するものであってもよい。上記の構成によれば、無線通信が終了するまでアンテナ用指針が好適な受信位置に保持されるため、無線通信が終了するまで、良好な受信感度を安定して得ることができる。
【００５６】
本発明の態様３に係る時計型無線通信装置は、上記態様１または２において、上記アンテナ用指針は、第一の周波数における無線通信のためのアンテナ用指針（秒針２）と、第一の周波数とは異なる第二の周波数における無線通信のためのアンテナ用指針（分針３）とを含んでおり、上記指針位置制御手段は、第一の周波数における無線通信のためのアンテナ用指針を移動させながら上記検出手段に受信感度を検出させ、その検出結果に応じて決定した受信位置に第一の周波数における無線通信のためのアンテナ用指針を移動させるとともに、第二の周波数における無線通信のためのアンテナ用指針を移動させながら上記検出手段に受信感度を検出させ、その検出結果に応じて決定した受信位置に第二の周波数における無線通信のためのアンテナ用指針を移動させるものであってもよい。上記の構成によれば、複数のアンテナ用指針による互いに異なる周波数での無線通信において、良好な受信感度を安定して得ることができる。
【００５７】
本発明の態様４に係る時計型無線通信装置は、上記態様１〜３において、上記アンテナ用指針は、ダイポールアンテナを構成する二本のダイポールアンテナ用指針（秒針２、分針３）を含んでおり、上記指針位置制御手段は、一方のダイポールアンテナ用指針（秒針２）を移動させながら上記検出手段に受信感度を検出させ、その検出結果に応じて決定した受信位置に該一方のダイポールアンテナ用指針を移動させるとともに、他方のダイポールアンテナ用指針（分針３）を、該一方のダイポールアンテナ用指針と重ならない位置に移動させるものであってもよい。また、本発明の態様５に係る時計型無線通信装置は、上記態様４において、上記指針位置制御手段は、上記一方のダイポールアンテナ用指針と上記他方のダイポールアンテナ用指針との角度が１８０度または１８０度に対して一定の範囲内、一例として、１８０度±３０度、より好ましくは１８０度±２０度、さらに好ましくは１８０度±１０度としてもよい。上記の構成によれば、アンテナ用指針をダイポールアンテナとして用いることができるとともに、良好な受信感度を安定して得ることができる。
【００５８】
本発明の態様６に係る時計型無線通信装置は、上記態様１〜５において、上記アンテナ用指針は、二重偏波アンテナを構成する二本の二重偏波アンテナ用指針（秒針２、分針３）を含んでおり、上記指針位置制御手段は、一方の二重偏波アンテナ用指針（秒針２）を移動させながら上記検出手段に受信感度を検出させ、その検出結果に応じて決定した受信位置に該一方の二重偏波アンテナ用指針を移動させるとともに、他方の二重偏波アンテナ用指針（分針３）を、該一方の二重偏波アンテナ用指針と非平行な位置に移動させるものであってもよい。また、本発明の態様７に係る時計型無線通信装置は、上記態様６において、上記指針位置制御手段は、上記一方の二重偏波アンテナ用指針と上記他方の二重偏波アンテナ用指針との角度が９０度または９０度に対して一定の範囲内、一例として、９０度±３０度、より好ましくは９０度±２０度、さらに好ましくは９０度±１０度としてもよい。上記の構成によれば、アンテナ用指針を二重偏波アンテナとして用いることができるとともに、良好な受信感度を安定して得ることができる。
【００５９】
本発明の態様８に係る時計型無線通信装置は、上記態様１〜７において、無線通信のためのアンテナとして用いない非アンテナ用指針（時針４、分針３）を備えており、上記指針位置制御手段は、上記アンテナ用指針（秒針２）を上記受信位置に移動させるとともに、該非アンテナ用指針を上記受信位置から離れるように移動させるものであってもよい。また、本発明の態様９に係る時計型無線通信装置は、上記態様８において、上記指針位置制御手段は、上記非アンテナ用指針と上記アンテナ用指針との角度が、９０度以上になるように、上記非アンテナ用指針を移動させるものであってもよい。上記の構成によれば、非アンテナ用指針がアンテナ用指針に影響を及ぼすことを避け、アンテナ用指針のアンテナ特性を向上させることができる。
【００６０】
本発明の態様１０に係る時計型無線通信装置は、上記態様１〜９において、無線通信のためのアンテナとして用いない非アンテナ用指針を備えており、該非アンテナ用指針は、非導電性材料からなるものであってもよい。上記の構成によれば、非アンテナ用指針がアンテナ用指針に影響を及ぼすことを避け、アンテナ用指針のアンテナ特性を向上させることができる。
【００６１】
本発明の態様１１に係る時計型無線通信装置は、上記態様１〜１０において、上記アンテナ用指針（機能針１０）が、時刻を示すものではないものであってもよい。また、本発明の態様１２に係る時計型無線通信装置は、上記態様１１において、上記アンテナ用指針が、経過時間を示す指針、方位磁針、日付を示す指針、温度を示す指針、湿度を示す指針、および、気圧を示す指針からなる群より選択される一つ以上の指針であるものであってもよい。上記の構成によれば、無線通信のために、アンテナ用指針を受信位置に移動させているときでも、ユーザが時刻を確認することができる。
【００６２】
本発明の態様１３に係る時計型無線通信装置は、上記態様１〜１２において、上記アンテナ用指針は、時刻を示す指針を含んでおり、ユーザによる時刻の確認動作を検知する検知手段（加速度センサ１１）を備え、上記指針位置制御手段は、該検知手段が該確認動作を検知したとき、上記アンテナ用指針に含まれる時刻を示す指針の位置を、現在時刻を示す位置に移動させるものであってもよい。上記の構成によれば、無線通信のために、アンテナ用指針を受信位置に移動させているときでも、ユーザが時刻を確認しようとしたときに、アンテナ用指針に時刻を示させることができるため、ユーザが時刻を確認することができる。
【００６３】
本発明の態様１４に係る時計型無線通信装置の制御方法は、無線通信のためのアンテナとして用いるアンテナ用指針を備えた時計型無線通信装置の制御方法であって、該アンテナ用指針の位置を移動させながら、該アンテナ用指針を介した無線通信の受信感度を検出する検出工程と、該検出工程における検出結果に応じて決定した受信位置に該アンテナ用指針を移動させるアンテナ位置制御工程と、を包含する。上記の構成によれば、上記態様１と同等の効果を奏する。
【００６４】
本発明の態様１５に係る時計型無線通信装置は、上記態様１において、少なくとも二本のアンテナ用指針を備え、上記指針位置制御手段は、一本のアンテナ用指針を移動させながら上記検出手段に受信感度を検出させ、その検出結果に応じて決定した受信位置に該一本のアンテナ用指針を移動させると共に、他のアンテナ用指針を、該一本のアンテナ用指針に対して所定の位置関係になるように移動させてもよい。上記の構成によれば、複数のアンテナ用指針を使って、決まった形のアンテナを形成することができるので、上記態様４〜７と同等の効果を奏する。
【００６５】
本発明の各態様に係る時計型無線通信装置は、コンピュータによって実現してもよく、この場合には、コンピュータを上記時計型無線通信装置が備える各手段として動作させることにより上記時計型無線装置をコンピュータにて実現させる時計型無線の制御プログラム、およびそれを記録したコンピュータ読み取り可能な記録媒体も、本発明の範疇に入る。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６７】
本発明は、アナログの腕時計や置時計など、幅広く利用することができる。
【符号の説明】
【００６８】
１  時計型無線通信装置      ２  秒針（アンテナ用指針、ダイポールアンテナ用指針、二重偏波アンテナ用指針）      ３  分針（非アンテナ用指針、アンテナ用指針、ダイポールアンテナ用指針、二重偏波アンテナ用指針）      ４  時針（非アンテナ用指針）      ５  無線回路部      ６  受信感度検出部（検出手段）      ７  指針位置制御部（指針位置制御手段）      ８  記憶部      ９  指針駆動部      １０  機能針（アンテナ用指針）      １１  加速度センサ（検知手段）
【図１】
2015038447.tif 000003
【図２】
2015038447.tif 000004
【図３】
2015038447.tif 000005
【図４】
2015038447.tif 000006
【図５】
2015038447.tif 000007
【図６】
2015038447.tif 000008
【図７】
2015038447.tif 000009
【図８】
2015038447.tif 000010